(57)【要約】【課題】ディスクの空き領域と記録済み領域とを視覚的に容易に認識させ、最適なタイトルの消去を行うための表示画面を出力するＤＶＤレコーダを提供する。【解決手段】ＤＶＤ＋ＲＷ及びＶｉｄｅｏモードで記録されるＤＶＤ−ＲＷに対してコンテンツを記録する場合に、１つのタイトルは必ず連続した領域に記録しなければならない。本発明のＤＶＤレコーダでは、記録済み領域及び未記録領域を示したディスクイメージ画像を含むユーザ入力画面３０を画像出力端子を介して出力する。ディスクイメージ画像は、記録領域全体をバー状に示し、各タイトルが記録されている領域と、空き領域とを示している。ユーザは、このディスクイメージ上で、任意のタイトルを選択する。本発明のＤＶＤレコーダは、ユーザ入力画面３０に従ってユーザにより選択されたタイトルを、ＤＶＤ＋ＲＷ、ＤＶＤ−ＲＷから消去する。【選択図】  図２
2004288326.tif 000002
【特許請求の範囲】
【請求項１】
コンテンツの再生単位毎に連続した物理領域にデータが記録されることが規定されたフォーマットが採用された記録媒体に対して、データの記録及び再生を行う記録再生装置において、
記録済み領域及び未記録領域を示した上記記録媒体の記録領域表示画像を含むユーザ入力画面を画像出力端子を介して出力する入力画面出力手段と、
コンテンツの再生単位毎に領域が区別され、ユーザによりコンテンツの再生単位が１つずつ選択可能とされている記録領域表示画像を含んだユーザ入力画面を表示し、上記ユーザ入力画面に従ってユーザにより選択されたコンテンツの再生単位を、上記光ディスクから消去する制御手段とを備えたこと
を特徴とする記録再生装置。
【請求項２】
コンテンツの再生単位毎に連続した物理領域にデータが記録されることが規定されたフォーマットが採用された記録媒体に対して、データの消去を行う記録媒体のデータ消去方法において、
記録済み領域及び未記録領域を示した上記記録媒体の記録領域表示画像であって、コンテンツの再生単位毎に領域が区別され、ユーザによりコンテンツの再生単位が１つずつ選択可能とされている記録領域表示画像が示されたユーザ入力画面を表示し、
上記ユーザ入力画面に応じたユーザからのコンテンツの再生単位の選択入力を受け付け、
選択されたコンテンツの再生単位を上記記録媒体から消去すること
を特徴とする記録媒体のデータ消去方法。
【発明の詳細な説明】
【０００１】
【発明の属する技術分野】
本発明は、例えばＤＶＤ等の記録媒体に対してデータの記録及び再生が可能な記録再生装置及び記録媒体のデータ消去方法に関する。
【０００２】
【従来の技術】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”  （例えば非特許文献１を参照。）、並びに、ＤＶＤフォーラムとは異なる民間規格団体である“ＤＶＤ＋ＲＷアライアンス”  （例えば非特許文献２を参照。）から提案されている。
【０００４】
ＤＶＤ−Ｒ及びＤＶＤ＋Ｒは、１回だけしか書き込めない追記型の光ディスクである。ＤＶＤ−Ｒは、  ＤＶＤフォーラムにより提案されたフォーマットに従った光ディスクであり、ＤＶＤ＋Ｒは、ＤＶＤ＋ＲＷアライアンスにより提案されたフォーマットに従った光ディスクである。
【０００５】
ＤＶＤ−ＲＷ及びＤＶＤ＋ＲＷは、“ＤＶＤフォーラム”により規定されている再生専用のＤＶＤ（ＤＶＤ−ＶＩＤＥＯ）とのフォーマットの互換性が取られた複数回の書き換えが可能な光ディスクである。ＤＶＤ−ＲＷ及びＤＶＤ＋ＲＷは、従来の再生専用のＤＶＤプレーヤでも、再生が可能である。ＤＶＤ−ＲＷは、ＤＶＤフォーラムにより提案されたフォーマットに従った光ディスクであり、ＤＶＤ＋Ｒは、ＤＶＤ＋ＲＷアライアンスにより提案されたフォーマットに従った光ディスクである。
【０００６】
ＤＶＤ−ＲＡＭは、カートリッジに収納された形式の書き換え可能な光ディスクであり、ＤＶＤ−ＶＩＤＥＯとの互換性は低く、他のＤＶＤとは大幅に異なるフォーマットの光ディスクである。ＤＶＤ−ＲＡＭは、ＤＶＤフォーラムにより提案された光ディスクである。
【０００７】
【非特許文献１】
インターネット＜ＵＲＬ  ：ｈｔｔｐ：／／ｗｗｗ．ｄｖｄｆｏｒｕｍ．ｇｒ．ｊｐ／＞
【非特許文献２】
インターネット＜ＵＲＬ  ：ｈｔｔｐ：／／ｗｗｗ．ｄｖｄｒｗ．ｃｏｍ／＞
【０００８】
【発明が解決しようとする課題】
ところで、ＤＶＤフォーラムにより提案されているＤＶＤ−ＶＩＤＥＯ規格では、データ単位として“タイトル”と呼ばれる単位が規定されている。本規格で規定された“タイトル”とは、例えば、映画の１作品や音楽アルバムの１作品等の１つのコンテンツの再生単位を示す概念である。ＤＶＤ−ＶＩＤＥＯ規格では、１つのＤＶＤディスクに対して９９個のタイトルまで記録することができるとしている。
【０００９】
また、ＤＶＤ−ＶＩＤＥＯ規格は、もともと読み出し専用のＲＯＭ規格を想定して規定されているため、“１つのタイトルを構成するデータは必ず物理上連続した記録領域に記録されていなければならない”、とされている。すなわち、１つのタイトルを構成するデータが、未記録領域や他のタイトルのデータを挟んで、複数の物理領域にわたって記録されていてはならない、とされている。
【００１０】
ここで、ＤＶＤ−ＲＷ及びＤＶＤ＋ＲＷは、書き換えや消去が可能である。そのため、タイトルの記録や消去を繰り返していくと、ディスク内の途中の記録領域に空き領域が離散的にできてしまう場合がある。ＤＶＤ−ＲＷ及びＤＶＤ＋ＲＷにデータを記録する場合には、この離散的に発生した空き領域も有効に利用して、ディスク容量の限界まで利用することが望ましい。
【００１１】
しかし、Ｖｉｄｅｏモードで記録されるＤＶＤ−ＲＷ及びＤＶＤ＋ＲＷは、ＤＶＤ−ＶＩＤＥＯとの互換性を保った規格であるために、“１つのタイトルを構成するデータは必ず物理上連続した記録領域に記録されていなければならない”という制限内でデータを記録しなければならず、小さな未記録領域が離散的に存在したとしても、そこには大きな容量のタイトルを記録することができないため、これらのディスク領域を有効に利用することができない。
【００１２】
そこで、本発明は、このような従来の実情に鑑みて提案されたものであり、例えば上述したＶｉｄｅｏモードで記録されるＤＶＤ−ＲＷ及びＤＶＤ＋ＲＷのような、コンテンツの再生単位毎に連続した物理領域にデータが記録されることが規定された記録媒体に対しても、効率的に空き領域を利用してデータの記録を行うことができる記録再生装置及び記録媒体のデータ消去方法を提供することを目的とする。
【００１３】
【課題を解決するための手段】
上述した目的を達成するために、本発明に係る記録再生装置は、コンテンツの再生単位毎に連続した物理領域にデータが記録されることが規定されたフォーマットが採用された記録媒体に対して、データの記録及び再生を行う記録再生装置であって、記録済み領域及び未記録領域を示した上記記録媒体の記録領域表示画像を含むユーザ入力画面を画像出力端子を介して出力する入力画面出力手段と、コンテンツの再生単位毎に領域が区別され、ユーザによりコンテンツの再生単位が１つずつ選択可能とされている記録領域表示画像を含んだユーザ入力画面を表示し、上記ユーザ入力画面に従ってユーザにより選択されたコンテンツの再生単位を、上記光ディスクから消去する制御手段とを備えたことを特徴とする。
【００１４】
また、本発明に係るデータ消去方法は、コンテンツの再生単位毎に連続した物理領域にデータが記録されることが規定されたフォーマットが採用された記録媒体に対して、データの消去を行う記録媒体のデータ消去方法であって、記録済み領域及び未記録領域を示した上記記録媒体の記録領域表示画像であって、コンテンツの再生単位毎に領域が区別され、ユーザによりコンテンツの再生単位が１つずつ選択可能とされている記録領域表示画像が示されたユーザ入力画面を表示し、上記ユーザ入力画面に応じたユーザからのコンテンツの再生単位の選択入力を受け付け、選択されたコンテンツの再生単位を上記記録媒体から消去することを特徴とする。
【００１５】
このような構成の本発明では、コンテンツの再生単位毎に領域が区別され、ユーザによりコンテンツの再生単位が１つずつ選択可能とされている記録領域表示画像を表示し、この記録領域表示画像に基づくユーザ入力に応じてコンテンツを選択して消去を行う。
【００１６】
【発明の実施の形態】
以下、本発明の実施の形態として本発明を適用したＤＶＤレコーダについて説明をする。
【００１７】
図１に、本発明の実施の形態のＤＶＤレコーダ１０のブロック構成図を示す。
【００１８】
本発明の実施の形態のＤＶＤレコーダ１０は、テレビジョン放送や録画テープから再生されたＡＶ信号（映像／音声信号）をＤＶＤディスクに記録し、また、ＤＶＤディスクからＡＶ信号を再生して出力する装置である。
【００１９】
ＤＶＤレコーダ１０では、ＤＶＤの民間規格団体である“ＤＶＤフォーラム”により提案されているＤＶＤ−ＶＩＤＥＯ，ＤＶＤ−Ｒ，ＤＶＤ−ＲＷ及びＤＶＤの民間規格団体である“ＤＶＤ＋ＲＷアライアンス”により提案されているＤＶＤ＋Ｒ及びＤＶＤ＋ＲＷに対する記録や再生が可能なマルチタイプのディスクレコーダである。以下、ＤＶＤレコーダ１０により記録再生が可能なこれらのＤＶＤディスクを総称する場合には、ＤＶＤディスク１と呼ぶものとする。
【００２０】
ＤＶＤレコーダ１０の内部構成について、図１を参照して説明する。
【００２１】
ＤＶＤレコーダ１０には、ビデオ入力端子（Ｖｉｎ）１１と、オーディオ入力端子（Ａｉｎ）１２と、ビデオ出力端子（Ｖｏｕｔ）１３と、オーディオ出力端子（Ａｏｕｔ）１４と、デジタルインタフェース端子１５とが設けられている。
【００２２】
ビデオ入力端子１１は、チューナ，セットトップボックスやビデオ信号再生装置等と映像ケーブルを介して接続される。ビデオ入力端子１１には、これらの装置から、例えばＮＴＳＣやＰＡＬ等の所定の映像フォーマットの映像信号であるビデオ信号が入力される。ビデオ出力端子１２は、テレビジョンモニタやビデオ信号記録装置等と映像ケーブルを介して接続される。ビデオ出力端子１２は、これらの装置に対して、例えばＮＴＳＣやＰＡＬ等の所定の映像フォーマットの映像信号であるビデオ信号を出力する。なお、ビデオ入力端子１１及びビデオ出力端子１２に入出力されるビデオ信号は、アナログフォーマットでもデジタルフォーマットでもよい。
【００２３】
オーディオ入力端子１３は、チューナ，セットトップボックスやオーディオ信号再生装置等とオーディオケーブルを介して接続される。オーディオ入力端子１３には、これらの装置から、例えば所定のフォーマットの音声音楽信号であるオーディオ信号が入力される。オーディオ出力端子１４は、オーディオ装置やオーディオ信号記録装置等とオーディオケーブルを介して接続される。オーディオ出力端子１４は、これらの装置に対して、例えば所定のフォーマットの音声音楽信号であるオーディオ信号を出力する。オーディオ入力端子１３及びオーディオ出力端子１４に入出力されるオーディオ信号は、アナログフォーマットでもデジタルフォーマットでもよい。
【００２４】
デジタルインタフェース端子１５は、例えば、ＩＥＥＥ１３９４端子やＵＳＢ等のデジタルデータ伝送用のインタフェースケーブルを介して、ＡＶデータ（ビデオデータ及びオーディオデータ）をＤＶテープカセットから再生するＤＶプレーヤと接続される。デジタルインタフェース端子１５には、このＤＶプレーヤがＤＶテープカセットから再生したＤＶフォーマットのＡＶデータ（ＤＶデータ）が入力される。
【００２５】
また、ＤＶＤレコーダ１０は、ＮＴＳＣ／ＰＡＬデコーダ１５と、ＤＶデコーダ１６と、ＭＰＥＧエンコーダ１７と、ＭＰＥＧデコーダ１８と、グラフィック合成回路１９と、ＮＴＳＣ／ＰＡＬエンコーダ２０とを備えている。
【００２６】
ＮＴＳＣ／ＰＡＬデコーダ１５は、ビデオ入力端子１１から入力されたＮＴＳＣ又はＰＡＬフォーマット等のビデオ信号を、ＩＴＵ−Ｒ  ＢＴ．６０１フォーマットのビデオ信号に変換する。
【００２７】
ＤＶデコーダ１６は、デジタルインタフェース端子１５から入力されたＤＶデータを、ＩＴＵ−Ｒ  ＢＴ．６０１フォーマットのビデオ信号及び所定のフォーマットのオーディオ信号に変換する。
【００２８】
ＭＰＥＧエンコーダ１７は、ＩＴＵ−Ｒ  ＢＴ．６０１フォーマットのビデオ信号及び所定のフォーマットのオーディオ信号が入力され、これらをＭＰＥＧ−２方式で圧縮符号化してＭＰＥＧ−２方式のＡＶデータストリーム（ＭＰＥＧ−２ストリーム）を生成する。
【００２９】
ＭＰＥＧデコーダ１８は、ＭＰＥＧ−２ストリームが入力され、これを伸張復号して、ＩＴＵ−Ｒ  ＢＴ．６０１フォーマットのビデオ信号及び所定のフォーマットのオーディオ信号を生成する。
【００３０】
グラフィック合成回路１９は、ＩＴＵ−Ｒ  ＢＴ．６０１フォーマットのビデオ信号の表示画面上に、外部入力されたオンスクリーンディスプレイ画像（ＯＳＤ画像）を合成する処理を行う。
【００３１】
ＮＴＳＣ／ＰＡＬエンコーダ２０は、グラフィック生成回路１９から出力されたＩＴＵ−Ｒ  ＢＴ．６０１フォーマットのビデオ信号を、ＮＴＳＣ又はＰＡＬフォーマットのビデオ信号に変換し、ビデオ出力端子１２から出力する。
【００３２】
また、ＤＶＤレコーダ１０は、ビデオ信号及びオーディオ信号の伝送経路を切り換えるスイッチング回路２１を備えている。
【００３３】
スイッチング回路２１は、記録時と再生時とで伝送経路を切り換え、さらに、記録時には、ＤＶデータとそれ以外の信号の入力時とで伝送経路を切り換える。
【００３４】
具体的には、スイッチング回路２１は次のように経路を切り換える。すなわち、ＤＶデータ以外の信号を記録する場合には、スイッチング回路２１は、ＮＴＳＣ／ＰＡＬデコーダ１５から出力されたビデオ信号並びにオーディオ入力端子１３から入力されたオーディオ信号が入力され、入力されたビデオ信号をＭＰＥＧエンコーダ１７及びグラフィック回路２０に供給し、入力されたオーディオ信号をＭＰＥＧエンコーダ１８及びオーディオ出力端子１４に供給するように伝送経路を切り換える。また、ＤＶデータを記録する場合には、スイッチング回路２１は、ＤＶデコーダ１６から出力されたビデオ信号及びオーディオ信号が入力され、入力されたビデオ信号をＭＰＥＧエンコーダ１７及びグラフィック回路２０に供給し、入力されたオーディオ信号をＭＰＥＧエンコーダ１８及びオーディオ出力端子１４に供給するように伝送経路を切り換える。また、再生をする場合には、スイッチング回路２１は、ＭＰＥＧデコーダ１９から出力されたビデオ信号及びオーディオ信号が入力され、入力されたビデオ信号をグラフィック回路２０に供給し、入力されたオーディオ信号をオーディオ出力端子１４に供給するように伝送経路を切り換える。
【００３５】
また、ＤＶＤレコーダ１０は、バッファ回路２２と、ドライブ装置２３とを備えている。
【００３６】
バッファ回路２２は、ＤＶＤディスク１に対して記録及び再生される、ＭＰＥＧ−２ストリーム及び制御データストリームを一時的に格納するメモリである。ドライブ装置２３は、ＤＶＤディスク１が装填され、装填されているＤＶＤディスク１に対して物理的にアクセスを行いデータの記録及び再生を行う装置である。なお、制御データストリームとは、ＤＶＤディスク１のフォーマットに規定されているインフォメーション情報等が含まれているデータストリームである。
【００３７】
また、ＤＶＤレコーダ１０は、ＶＢＩスライス回路２４を備えている。
【００３８】
ＶＢＩスライス回路２４は、ビデオ信号のブランキング期間に含まれているインフォメーション情報（ＶＢＩ情報）を、ビデオ入力端子１１から入力されたビデオ信号から検出する回路である。
【００３９】
また、ＤＶＤレコーダ１０は、入力装置２５と、システムコントローラ２６とを備えている。
【００４０】
入力装置２５は、例えば赤外線リモートコントローラ等の入力デバイスであり、ユーザによりＤＶＤレコーダ１０を操作するための情報入力が行われる装置である。入力装置２５から入力された情報は、システムコントローラ２６に供給される。
【００４１】
システムコントローラ２６は、上述した各回路に対する設定及び制御を行うマイクロコンピュータ等から構成される制御ブロックである。
【００４２】
システムコントローラ２６により行われる具体的な処理には、例えば次のようなものがある。
【００４３】
例えば、システムコントローラ２６は、制御データストリームをバッファ回路２２から読み出してその制御データに基づいたＤＶＤディスク１に対するアクセス制御、表示制御等を行う。システムコントローラ２６は、データの記録開始時や終了時に、記録する、又は、記録したデータに関する制御情報を生成し、その制御情報をフォーマットに従ったデータストリームとしてＤＶＤディスク１に記録する。システムコントローラ２６は、ＭＰＥＧ−２ストリームのヘッダ情報の生成及びヘッダ情報の解析を行う。
【００４４】
また、システムコントローラ２６は、例えばメニュー画面等のＯＳＤ画像を生成し、生成したＯＳＤ画像をグラフィック合成回路１９に供給して、当該ＯＳＤ画像をテレビジョンモニタ上に表示させる。さらに、システムコントローラ２６は、入力装置２５からの入力情報に従ってＯＳＤ画像を適宜更新し、変更したＯＳＤ画像をテレビジョンモニタ上に表示させる。システムコントローラ２６は、入力装置２５からの入力に従って各種の制御を行ったり、現在表示しているＯＳＤ画像と現在入力された入力情報とに基づき決定される所定の制御を行ったりする。
【００４５】
また、システムコントローラ２６は、入力されたビデオ信号から検出されたＶＢＩ情報がＶＢＩスライス回路２４から供給され、このＶＢＩ情報に示されている複数の情報のうち、必要な情報をＭＰＥＧエンコーダ１７に供給し、ＭＰＥＧ−２ストリームのヘッダ情報にエンコードさせる。システムコントローラ２６は、再生時には、ＭＰＥＧ−２ストリームのヘッダ情報から検出された情報のうち、必要な情報に基づきＶＢＩ情報を生成し、生成したＶＢＩ情報をＮＴＳＣ／ＰＡＬエンコーダ２０に供給して、出力するビデオ信号の所定のブランキング位置にエンコードさせる。
【００４６】
以上のような構成のＤＶＤレコーダ１０の記録時の動作は、次のようになる。
【００４７】
記録時には、ＤＶＤレコーダ１０には、ビデオ信号及びオーディオ信号が外部から入力される。入力されたビデオ信号は、ＮＴＳＣ／ＰＡＬデコーダ１５又はＤＶデコーダ１６によりＩＴＵ−Ｒ  ＢＴ．６０１フォーマットのビデオ信号に変換される。ＩＴＵ−Ｒ  ＢＴ．６０１フォーマットのビデオ信号は、スイッチング回路２１を介してＭＰＥＧエンコーダ１７に供給され、オーディオ信号とともにＭＰＥＧ−２ストリームに符号化される。バッファ回路２２は、ＭＰＥＧエンコーダ１７により符号化されたＭＰＥＧ−２ストリームを一時的に格納するとともに、システムコントローラ２６により生成された制御データストリームも一時的に格納する。そして、ＤＶＤレコーダ１０では、ドライバ装置２３が、ＤＶＤディスク１のフォーマットに従った順序でＭＰＥＧ−２ストリーム及び制御データストリームをバッファ回路２２から読み出し、読み出したデータをＤＶＤディスク１に記録していく。
【００４８】
また、さらに、ＤＶＤレコーダ１０では、記録中の映像及び音声をユーザがリアルタイムでモニタリングできるように次のような動作も行っている。
【００４９】
ＮＴＳＣ／ＰＡＬデコーダ１５又はＤＶデコーダ１６によりＩＴＵ−Ｒ  ＢＴ．６０１フォーマットに変換されたビデオ信号は、スイッチング回路２１を介して、グラフィック合成回路１９にも供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、外部に出力される。また、入力されたオーディオ信号は、スイッチング回路２１を介して、そのまま外部に出力される。
【００５０】
また、ＤＶＤレコーダ１０の再生時の動作は、次のようになる。
【００５１】
再生時には、ドライブ装置２３は、ＤＶＤディスク１からＭＰＥＧ−２ストリーム及び制御データストリームを読み出して、バッファ回路２２に格納する。バッファ回路２２に格納されているＭＰＥＧ−２ストリームは、ＭＰＥＧデコーダ１８により読み出され、制御データストリームはシステムコントローラ２６により読み出される。読み出されたＭＰＥＧ−２ストリームは、ＭＰＥＧデコーダ１８によりＩＴＵ−Ｒ  ＢＴ．６０１フォーマットのビデオ信号及びオーディオ信号に復号される。復号されたオーディオ信号は、スイッチング回路２１を介して外部に出力される。復号されたＩＴＵ−Ｒ  ＢＴ．６０１フォーマットのビデオ信号は、スイッチング回路２１を介して、グラフィック合成回路１９に供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、外部に出力される。また、システムコントローラ２６は、読み出した制御データストリームに従い、例えばディスクの読み出し位置の制御や各種の表示制御等を行う。
【００５２】
つぎに、ＤＶＤ−ＲＷ及びＤＶＤ＋ＲＷに記録されたデータを消去する際に表示する操作画面（ＯＳＤ画面）について説明をする。
【００５３】
まず、入力装置２５からの操作入力情報とＯＳＤ画像との関係について説明をする。ＤＶＤレコーダ１０では、システムコントローラ２６がＯＳＤ画面の生成を行うとともに入力装置２５からの入力情報を検出して各種の制御をすることによって、表示されているＯＳＤ画面に従ってユーザが各種の操作制御を行うことができるようになっている。例えば、入力装置２５には、上下左右への移動キー、キャンセルキー、エンターキー等が設けられている。ＤＶＤレコーダ１０では、「上下左右への移動キー操作に応じてＯＳＤ画像上のカーソルを移動させる」といったようにそのキー操作をＯＳＤ画像に反映したり、「ＯＳＤ画像上の再生ボタンや中止ボタンにフォーカスを合わせてエンターキーを押したときに再生開始や中止制御を行う」といったようにＯＳＤ画像で表示されているボタンの内容に従った制御をしたりする。
【００５４】
ＤＶＤレコーダ１０では、ＤＶＤ−ＲＷ及びＤＶＤ＋ＲＷが装填されている場合、記録済みのデータの一部を“タイトル”単位で消去することができる。“タイトル”とは、ＤＶＤ−ＶＩＤＥＯのフォーマットで定められた１つのコンテンツのデータ単位であり、例えば、映画の１作品や音楽アルバムの１作品等に対応する。ＤＶＤレコーダ１０では、タイトルの消去を行う場合には、以下説明を行う所定のＯＳＤ画像を表示して、消去操作を行わせている。
【００５５】
ユーザは、ＤＶＤディスク１に記録されているタイトルを消去する場合、例えばメインメニュー画面（ＯＳＤ画面）等に設けられている“消去画面表示ボタン”を入力装置２５を操作して押す。消去画面表示ボタンが押されると、システムコントローラ２６は、図２及び図３に示すようなＯＳＤ画面（消去領域選択画面３０）を表示する。
【００５６】
消去領域選択画面３０には、ディスクマップ３１と、カーソル３２と、右方向サイン３３と、左方向サイン３４と、選択済みタイトル識別フラグ３５と、タイトル情報表示領域３６と、イレースボタン３７と、キャンセルボタン３８とが表示されている。
【００５７】
ディスクマップ３１は、ＤＶＤディスク１に記録されている全てのタイトルの中から消去対象となるタイトルを選択するために、タイトルと空き領域とを識別したディスクの記録イメージを示したユーザインタフェース画像である。ディスクマップ３１の具体的な表示内容についてはその詳細を後述するが、ユーザはこのディスクマップ３１内で任意の１つのタイトルをフォーカスし、フォーカスしたタイトルを１つ選択していくこととなる。ディスクマップ３１では、フォーカス→選択という処理が繰り返されることによって、消去対象となる１又は複数のタイトルが選択される。
【００５８】
カーソル３２は、ディスクマップ３１内に表示されている任意の１つのタイトルや連続した１つの未記録スペース、或いは、イレースボタン３７やキャンセルボタン３８をフォーカスするための指示画像である。ユーザは、入力装置２５の上下左右への移動キーを操作することによって、カーソル３２によるフォーカス位置を移動させることができる。
【００５９】
右方向サイン３３は、ディスクマップ３１が右方向にスクロールが可能であれば表示され、右方向にスクロールができないのであれば表示されない。左方向サイン３４は、ディスクマップ３１が左方向にスクロールが可能であれば表示され、左方向にスクロールができないのであれば表示されない。
【００６０】
選択済みタイトル識別フラグ２５は、ディスクマップ３１の上方に表示され、消去対象として選択されたタイトルを識別する表示である。
【００６１】
タイトル情報表示領域３３は、ディスクマップ３１上でカーソル３２によりフォーカスされているタイトル（又は未記録スペース）に関する各種の情報が表示される領域である。
【００６２】
例えば、ディスクマップ３１上でカーソル３２によりある任意のタイトルがフォーカスされている場合には、タイトル情報表示領域３６には、図２に示すように、そのタイトルのタイトル番号、記録日時、記録時間、記録モード、使用バイト数、そのタイトルが誤消去保護のための処理がされている場合にはその旨のマークが表示される。このようタイトルの各種の情報が表示されることにより、ユーザがそのタイトルを消去するか否かを容易に判断することが可能となる。
【００６３】
また、例えば、ディスクマップ３１上でカーソル３２により未記録領域スペースがフォーカスされている場合には、タイトル情報表示領域３６には、図３に示すように、未記録領域である旨、空き容量のサイズ、その空き容量への記録可能時間（記録モード毎）が表示される。なお、Ｖｉｄｅｏモードで記録されるＤＶＤ−ＲＷ，ＤＶＤ＋ＲＷでは、６個の記録モード（ＨＱモード、ＨＳＰモード、ＳＰモード、ＬＰモード、ＥＰモード、ＳＬＰモード）があり、それぞれで符号化効率が異なっているので、各モード毎に記録時間が表示される。Ｖｉｄｅｏモードで記録されるＤＶＤ−ＲＷ，ＤＶＤ＋ＲＷの場合、１つのタイトルは連続した領域に記録しなければならないため、このように空き容量及び記録可能時間を表示することによって、その連続した１つの空きスペースに対してどの程度の時間の記録が可能であるかを容易に認識することできる。
【００６４】
イレースボタン３７は、ディスクマップ３１上で選択した１又は複数のタイトルを消去する場合に押されるボタンである。ユーザが入力装置２５を用いてイレースボタン３７を押すと、図４に示すような、消去決定画面（ＯＳＤ画像）４０が表示される。消去決定画面４０には、選択されたタイトルのタイトル情報４１と、消去動作を実行させる確定ボタン４２と、前画面に移動する再選択ボタン４３とが表示される。ユーザが入力装置２５を用いて確定ボタン４２を押すと、システムコントローラ２６が選択されたタイトルをＤＶＤディスクから消去する。一方、ユーザが入力装置２５を用いて再選択ボタン４３を押すと、再度消去領域選択画面３０が表示される。なお、イレースボタン３７は、１つもタイトルが選択されていない場合には、不活性な表示状態（ボタンを押せない状態）とされる。
【００６５】
キャンセルボタン３８は、タイトルの消去操作をキャンセルする場合に押されるボタンである。ユーザが入力装置２５を用いてキャンセルボタン３８を押すと、メニュー画面が表示される。
【００６６】
つぎに、消去領域選択画面３０内に表示されているディスクマップ３１について説明をする。
【００６７】
ディスクマップ３１は、ＤＶＤディスク１上の全記録領域内における記録済み領域と未記録領域とを識別した記録領域表示画像であるディスクイメージ画像である。すなわち、ディスクマップ３１は、ＤＶＤディスク１内の全領域のうち、どの部分にデータが記録されているかどの部分にデータが記録されていないかを示したものである。ディスクマップ３１は、ＤＶＤディスク１の管理情報を参照することにより作成することができる。
【００６８】
ディスクマップ３１は、例えば図５に示すように、バー状で表示される。バー状のディスクマップ３１は、横方向が記録領域のアドレス方向に対応している。また、ディスクマップ３１は、記録済み領域に対応する表示部分と未記録領域に対応する表示部分とが、それぞれ異なる表示パターンとなっている。例えば、記録済み領域に対応する表示部分が立体表示パターンとなっており、未記録領域に対応する表示部分が平面表示パターンとなっている。
【００６９】
さらに、記録済み領域内は、“タイトル”と“タイトル”との境界位置が識別できるように境界線が表示されている。
【００７０】
また、ディスクマップ３１は、カーソル３２を用いて、特定の１つの“タイトル”又は連続した１つの“未記録スペース”をフォーカスすることができる。例えば、ディスクマップ３１上にカーソル３２を表示させると、そのカーソル３２は図２に示すように任意の１つのタイトルや、図３に示すように任意の１つの未記録領域のスペースをフォーカスする。
【００７１】
ディスクマップ３１では、任意の１つの“タイトル”が選択されているときに、入力装置２５のエンターキーが押されると、そのタイトルが消去選択される。システムコントローラ２６は、消去選択されたタイトルを記憶しておく。また、システムコントローラ２６は、そのタイトルをフォーカスしているときに、再度エンターキーを押したり又はキャンセルキーを押すと、その選択を解除する。以上の処理が複数のタイトルに対して行われることにより、同時に複数のタイトルを消去対象として選択することができる。
【００７２】
なお、システムコントローラ２６は、消去対象として選択したタイトルがある場合には、ディスクマップ３１上のそのタイトル上の領域に、選択済みタイトル識別フラグ３５を表示する。選択済みタイトル識別フラグ３５は、例えば、周囲の表示色と異なる色を表示することにより生成される。
【００７３】
また、ディスクマップ３１では、任意の１つのタイトル（又は１つのスペース）がフォーカスされている状態で、入力装置２５の右方向キー（→）や左方向キー（←）が押されると、その方向にカーソル３２が移動して、隣接したタイトル（又はスペース）がフォーカスされる。
【００７４】
また、ディスクマップ３１は、消去領域選択画面３０内にバー全体が表示されているのではなく、図５に示すように、バーの一部の範囲（ここでは、全体の１／４の範囲）のみが消去領域選択画面３０内に表示される。そして、ディスクマップ３１は、表示範囲内の右端のタイトル（又はスペース）がカーソル３２によりフォーカスされているときに、右方向キー（→）が押された場合には、その表示範囲が右方向にスクロールし、逆に、表示範囲内の左端のタイトル（又はスペース）がカーソル３２によりフォーカスされているときに左方向キー（←）が押された場合には、その表示範囲が左方向にスクロールする。ここでは、１回のスクロール動作で、表示範囲の１／２の量（すなわち、バー全体の１／８の量）が移動する。ディスクマップ３１では、このように表示範囲がスクロールするので、一部分のみの表示であっても、ディスク全貌を参照することができるようになっている。
【００７５】
なお、入力装置２５の右方向キー（→）又は左方向キー（←）が押されることによって、表示範囲がスクロールする場合には、カーソル３２がフォーカスするタイトル（又はスペース）は移動しない。
【００７６】
例えば、図６（Ａ）、（Ｂ）、（Ｃ）に示すように、フォーカスされているタイトル（又はスペース）と隣接するタイトル（又はスペース）が表示されている状態で、右方向キー（→）又は左方向キー（←）が押された場合には、フォーカスの移動のみが行われ、スクロールはされない。
【００７７】
それに対して、図７（Ａ）、（Ｂ）に示すように、右端のタイトル（又はスペース）がフォーカスされているときに、右方向キー（→）が押された場合には、スクロールのみが行われ、フォーカスされているタイトルは移動しない。
【００７８】
以上のように、ＤＶＤレコーダ１０では、消去時にディスクマップ３１を用いることにより、連続した大きな空き領域を確保しやすくなる。つまり、視覚的にタイトルの記録場所を認識できるので、効率的に消去対象となるタイトルを選択することができる。このため、ＤＶＤレコーダ１０では、効率的にディスクの記録領域を使用することができる。
【００７９】
【発明の効果】
本発明に係る記録再生装置及び記録媒体のデータ消去方法では、コンテンツの再生単位毎に領域が区別され、ユーザによりコンテンツの再生単位が１つずつ選択可能とされている記録領域表示画像を表示することにより、空き領域と記録済み領域とを視覚的に容易に認識させることができる。また、この記録領域表示画像に基づきコンテンツを選択して消去を行うことにより、最適なタイトルの消去を行うことができる。このため記録再生装置では、例えばＶｉｄｅｏモードで記録されるＤＶＤ−ＲＷ及びＤＶＤ＋ＲＷのような、コンテンツの再生単位毎に連続した物理領域にデータが記録されることが規定されたフォーマットが採用された記録媒体である光ディスクに対しても、連続した空き領域が確保しやすくなり、効率的にディスクの空き領域を利用してデータの記録を行うことができる。
【図面の簡単な説明】
【図１】本発明の実施の形態のＤＶＤレコーダのブロック構成図である。
【図２】タイトルがフォーカスされている状態の消去領域選択画面を示す図である。
【図３】スペースがフォーカスされている状態の消去領域選択画面を示す図である。
【図４】上記ＤＶＤレコーダにより表示される消去決定画面を示す図である。
【図５】ディスクマップを示す図である。
【図６】フォーカスされているタイトル（又はスペース）と隣接するタイトル（又はスペース）が表示されている状態で、右方向キー（→）又は左方向キー（←）が押された場合のディスクマップ及びカーソルを示す図である。
【図７】右端のタイトル（又はスペース）がフォーカスされている状態で、右方向キー（→）が押された場合のディスクマップ及びカーソルを示す図である。
【符号の説明】
１  ＤＶＤディスク、１０  ＤＶＤレコーダ、１１  ビデオ入力端子、１２  オーディオ入力端子、１３  ビデオ出力端子、１４  オーディオ出力端子、１５デジタルインタフェース端子、１５  ＮＴＳＣ／ＰＡＬデコーダ、１６  ＤＶデコーダ、１７  ＭＰＥＧエンコーダ、１８  ＭＰＥＧデコーダ、１９  グラフィック合成回路、２０  ＮＴＳＣ／ＰＡＬエンコーダ、２１  スイッチング回路、２２  バッファ回路、２３  ドライブ回路、ＶＢＩスライス回路、２５  入力装置、２６  システムコントローラ
【図１】
2004288326.tif 000003
【図２】
2004288326.tif 000004
【図３】
2004288326.tif 000005
【図４】
2004288326.tif 000006
【図５】
2004288326.tif 000007
【図６】
2004288326.tif 000008
【図７】
2004288326.tif 000009